(57)【要約】【課題】  噴霧水の熱交換比率を良好にして、噴霧中に噴霧水が噴霧ノズルから滴下するのを防止できるミストサウナ装置を提供すること。【解決手段】  浴室１７に取り付けられる１個又は２個以上の噴霧ノズル４から湯をミスト状に噴霧してミストサウナ環境を作り出すミストサウナ装置１Ａに、熱源１５で加熱されて貯湯タンク２に貯められた貯湯水を、貯湯タンク２の内圧を利用して噴霧ノズル４に供給する噴霧水供給配管３と、噴霧ノズル４から噴霧する湯の水圧を検出する圧力センサ９と、噴霧水供給配管３上に配設され、噴霧水供給配管３を遮断する三方電磁弁１０と、圧力センサ９が検出する水圧が所定値より小さいか否かを判断し、所定値より小さいと判断したときに、三方電磁弁１０に噴霧水供給配管３を遮断させる制御装置１３とを設ける。【選択図】    図１
2006191946.tif 000002
【特許請求の範囲】
【請求項１】
浴室に取り付けられる１個又は２個以上の噴霧ノズルから湯をミスト状に噴霧してミストサウナ環境を作り出すミストサウナ装置において、
熱源で加熱されて貯湯タンクに貯められた貯湯水を、前記貯湯タンクの内圧を利用して前記噴霧ノズルに供給する噴霧水供給配管と、
前記噴霧ノズルから噴霧する湯の水圧又は流量を検出する状態検出手段と、
前記噴霧水供給配管上に配設され、前記噴霧水供給配管を遮断する遮断手段と、
前記状態検出手段が検出する水圧又は流量が所定値より小さいか否かを判断し、所定値より小さいと判断したときに、前記遮断手段に前記噴霧水供給配管を遮断させる遮断制御手段とを有することを特徴とするミストサウナ装置。
【請求項２】
請求項１に記載するミストサウナ装置において、
前記遮断制御手段は、
前記状態検出手段が水圧を検出した場合には、前記遮断手段に前記噴霧水供給配管を遮断させた後、前記状態検出手段が検出しだ水圧が所定値以上になったときに、前記遮断手段による前記噴霧水供給配管の遮断を解除させるものであることを特徴とするミストサウナ装置。
【請求項３】
請求項１に記載するミストサウナ装置において、
前記遮断手段が前記噴霧水供給配管を遮断したときに、前記噴霧水を排水管に排水する排水手段を有することを特徴とするミストサウナ装置。
【請求項４】
請求項３に記載するミストサウナ装置において、
前記排水手段が、
前記噴霧水供給配管を前記噴霧ノズルに接続する第１位置と、前記噴霧水供給配管を前記排水管に接続する第２位置との二位置で切り換えられる流路切換手段と、
前記状態検出手段が検出した水圧又は流量が所定値より小さいか否か判断し、所定値より小さくないと判断したときには、前記流路切換手段を第１位置に切換え、所定値より小さいと判断したときには、前記流量切換手段を第２位置に切り換える切換制御手段とを有することを特徴とするミストサウナ装置。
【請求項５】
請求項３又は請求項４に記載するミストサウナ装置において、
前記排水管が前記貯湯タンクに接続していることを特徴とするミストサウナ装置。
【請求項６】
請求項１乃至請求項５の何れか１つに記載するミストサウナ装置において、
前記状態検出手段が検出する水圧又は流量が所定値より小さくなったときに、水圧又は流量不足を表示する水圧・流量不足表示手段を有することを特徴とするミストサウナ装置。
【請求項７】
請求項１乃至請求項６の何れか１つに記載するミストサウナ装置において、
低温噴霧水と高温噴霧水を所定の間隔で前記噴霧ノズルから噴霧するように、前記噴霧水の温度調整を行う温度調整手段を有することを特徴とするミストサウナ装置。
【請求項８】
請求項１乃至請求項７の何れか１つに記載するミストサウナ装置において、
前記貯湯タンクの残湯量を検出する残湯量検出手段を有し、
前記遮断制御手段が、前記残湯量検出手段が検出した残湯量が所定量以下であるときに、前記遮断手段に前記噴霧水供給配管を遮断させるものであることを特徴とするミストサウナ装置。
【請求項９】
請求項８に記載するミストサウナ装置において、
前記残湯量検出手段が検出した残湯量が所定量以下であるときに、湯切れを表示する湯切れ表示手段を有することを特徴とするミストサウナ装置。
【請求項１０】
請求項１乃至請求項９の何れか１つに記載するミストサウナ装置において、
前記熱源が、コージェネレーションシステムの発電機又は電気給湯器であることを特徴とするミストサウナ装置。
【請求項１１】
浴室に取り付けられる１個又は２個以上の噴霧ノズルから湯をミスト状に噴霧してミストサウナ環境を作り出すミストサウナ装置において、
湯を貯める貯湯タンクに前記噴霧ノズルを接続し、前記貯湯タンクの貯湯水を前記噴霧ノズルに供給する噴霧水供給配管と、
前記噴霧水供給配管上に配設された加熱手段と、
前記加熱手段の下流側にて前記貯湯水供給配管から分岐し、前記貯湯タンクの頂部に接続する温水回収配管と、
前記加熱手段の下流側に配設され、前記加熱手段で加熱した貯湯水を前記噴霧ノズルと前記温水回収配管とに分流する分流手段と、を有することを特徴とするミストサウナ装置。
【請求項１２】
請求項１１に記載するミストサウナ装置において、
前記貯湯タンクの貯湯温度を検出する貯湯温度検出手段と、
前記貯湯温度検出手段が検出した貯湯温度と前記噴霧水の設定温度とを比較し、前記貯湯温度が前記噴霧水の設定温度より低いときに、前記加熱手段に前記噴霧水供給配管を流れる貯湯水を加熱させる加熱制御手段とを有することを特徴とするミストサウナ装置。
【請求項１３】
請求項１１又は請求項１２に記載するミストサウナ装置において、
前記噴霧水供給配管を流れる噴霧水の流量を検出する流量検出手段と、
前記流量検出手段の検出結果に基づいて、前記分流手段が前記噴霧ノズルと前記温水回収配管とに前記噴霧水を分流する割合を決定する分流制御手段とを有することを特徴とするミストサウナ装置。
【請求項１４】
請求項１１乃至請求項１３の何れか１つに記載するミストサウナ装置において、
前記貯湯タンクが、熱と電力を併給するコージェネレーションシステムに含まれるものであって、
前記噴霧水供給配管が、
前記貯湯タンクの頂部に給水源を接続し、前記コージェネレーションシステムの発電機と熱交換する熱交換器を配設された排熱回収配管と、
前記熱交換器と前記貯湯タンクとの間にて前記排熱回収配管から分岐し、前記噴霧ノズルに接続するものであって、上流側から前記加熱手段と前記分流手段を順に配設された供給配管と、
前記熱交換器より上流側にて前記排熱回収配管から分岐し、前記貯湯タンクの底部に接続する給水配管と、
前記給水配管より上流側にて前記排熱回収配管から分岐し、前記供給配管に対して前記加熱手段より上流側に接続する補給配管とを含み、
前記貯湯タンクの貯湯温度を検出する貯湯温度検出手段と、
前記供給配管上であって、前記補給配管の上流側に配設され、前記供給配管を開閉する開閉手段と、
前記貯湯温度検出手段が検出した貯湯温度を噴霧水の設定温度と比較し、前記貯湯温度が前記噴霧水の設定温度より高い場合には、前記開閉手段に前記共通配管を開させ、前記貯湯温度が前記噴霧水の設定温度より低い場合には、前記開閉手段に前記共通配管を閉させる開閉制御手段とを有することを特徴とするミストサウナ装置。
【請求項１５】
請求項１４に記載するミストサウナ装置において、
前記補給配管が前記共通配管に接続する接続部分に配設され、前記開閉手段から供給される高温水と、前記補給配管から供給される低温水とを混合して、前記噴霧水を設定温度に調整する温度調整手段を有することを特徴とするミストサウナ装置。
【請求項１６】
請求項１乃至請求項１５の何れか１つに記載するミストサウナ装置において、
前記噴霧ノズルから噴霧した噴霧水の流量を所定の間隔で検出して記憶する噴霧量記憶手段と、
ミストサウナ装置の作動時間を記憶する作動時間記憶手段と、
前記噴霧量記憶手段と前記作動時間記憶手段に記憶されているデータを平均処理して、予測対象日におけるミストサウナ装置の使用パターンを予測する使用パターン予測手段と、
前記予測手段が予測した使用パターンに基づいて、予測対象日に前記貯湯タンクに貯湯する貯湯パターンを決定する貯湯パターン決定手段とを有することを特徴とするミストサウナ装置。
【発明の詳細な説明】
【技術分野】
【０００１】
本発明は、浴室内に湯をミスト状に噴霧してミストサウナ環境を作り出すミストサウナ装置に関する。
【背景技術】
【０００２】
近年、健康やエステ志向の高まりとともに、入浴時に楽しめるサウナや半身浴などが注目されている。家庭で気軽に本格的なサウナが楽しみたいという消費者ニーズに対して、家庭用のミストサウナが商品化され、普及しつつある。ミストサウナは加熱方式で分類すると、給湯直接利用方式と液−液熱交換方式の２種類に大別できる。
【０００３】
図１２は、給湯直接利用方式を採用したミストサウナ装置１００の概略構成図である。給湯直接利用方式を採用したミストサウナ装置１００は、浴室１０１の天井に設置された噴霧ノズル１０２から給湯器１０３で加熱した温水を直接噴霧し、浴室１０１を加熱するものである。このミストサウナ装置１００では、高温の湯を直接噴霧するため、熱交換ロスが少ない利点がある（例えば、特許文献１参照）。
【０００４】
図１３は、液−液熱交換方式を採用したミストサウナ装置２００の概略構成図である。液−液熱交換方式を採用したミストサウナ装置２００は、浴室２０１に設置された暖房機２０２に暖房用水を供給する浴室暖房ユニット２０３内に噴霧装置を搭載し、給水源２０４から供給される水を浴室暖房ユニット２０３内の液−液熱交換器２０５で間接的に加熱して、浴室２０１の天井に設置された噴霧ノズル２０６から噴霧するものである。暖房用温水を利用してミスト用の水を加熱するので、最低作動流量の制限がなく、噴霧水の水量を少なくできる利点がある（例えば、特許文献２参照）。
【０００５】
【特許文献１】特開平８−１３１５０７号公報
【特許文献２】特開２０００−２３７２７３号公報
【発明の開示】
【発明が解決しようとする課題】
【０００６】
しかしながら、従来のミストサウナ装置１００，２００には以下の問題点があった。
すなわち、給湯直接利用方式を採用したミストサウナ装置１００は、給湯器１０３に接続してミストを作るため、給湯器１０３の火をつけるのに必要な最低作動流量（５Ｌ／分程度）を確保しなければならなかった。ミストサウナ装置は、一般的に、湯を毎分１Ｌずつ噴霧すると効率よく空気と熱交換してミストサウナ環境を作り出すことができるが、給湯直接利用方式を採用した場合には、毎分４Ｌもの湯を無駄に捨てることになり、ランニングコストが高くなってしまっていた。
また、液−液熱交換方式を採用したミストサウナ装置２００は、別途、液−液熱交換器２０５などの装置が必要となるため、機器コストが高く、構造が複雑であった。
【０００７】
これに対して、コージェネレーションシステムの発電機が発生する排熱を回収して加熱された湯や、電気給湯器で加熱された湯を貯湯タンクに貯めておき、貯湯タンクに配管を介して噴霧ノズルを接続し、貯湯水を噴霧ノズルから噴霧する技術も考えられる。この技術によれば、給湯直接利用方式のように最低流量制限がなく、ランニングコストを安くできる。また、液−液熱交換方式のように液−液熱交換器２０５を設ける必要がないので、構造が単純であり、機器コストを安くできる。
【０００８】
ところが、給湯直接利用方式や液−液熱交換方式の場合、給水源１０４，２０４の元圧を利用して噴霧水を噴霧するが、貯湯タンク方式では、貯湯タンクの内圧を利用して噴霧水を噴霧する。貯湯タンクは、貯湯水の流量制御や耐圧性の観点より、減圧ポンプ等で元圧を減圧して貯湯水を貯めている。そのため、噴霧水の水圧又は流量が噴霧水をミスト状に噴霧するのに不足したときに、噴霧水と空気との熱交換効率が低下したり、高温の噴霧水が噴霧ノズルから滴下して使用者に火傷を負わせるおそれがある。
【０００９】
また、貯湯タンクには、所定の温度の貯湯水を常に貯めているとは限らず、熱不足のときには、給湯器で噴霧水を加熱しなければならない。この場合には、給湯直接利用方式と同様の問題を生じる。仮に、給湯器を液−液熱交換器に代えたとしても、暖房機２０２や浴室暖房ユニット２０３、熱交換器２０５などを駆動しなければならず、経済性、省エネ性に欠ける。
【００１０】
上記課題を解決するために、本発明は、噴霧水の熱交換比率を良好にして、噴霧中に噴霧水が噴霧ノズルから滴下するのを防止できるミストサウナ装置を提供することを第１の目的とする。
また、本発明は、噴霧水の水量を抑え、経済性、省エネ性を向上させることができるミストサウナ装置を提供することを第２の目的とする。
【課題を解決するための手段】
【００１１】
本発明に係るミストサウナ装置は、上記第１の目的を達成するために、次のような構成を有している。
（１）浴室に取り付けられる１個又は２個以上の噴霧ノズルから湯をミスト状に噴霧してミストサウナ環境を作り出すミストサウナ装置において、熱源で加熱されて貯湯タンクに貯められた貯湯水を、貯湯タンクの内圧を利用して噴霧ノズルに供給する噴霧水供給配管と、噴霧ノズルから噴霧する湯の水圧又は流量を検出する状態検出手段と、噴霧水供給配管上に配設され、噴霧水供給配管を遮断する遮断手段と、状態検出手段が検出する水圧又は流量が所定値より小さいか否かを判断し、所定値より小さいと判断したときに、遮断手段に噴霧水供給配管を遮断させる遮断制御手段とを有することを特徴とする。
【００１２】
（２）（１）に記載の発明において、遮断制御手段は、状態検出手段が水圧を検出した場合には、遮断手段に噴霧水供給配管を遮断させた後、状態検出手段が検出しだ水圧が所定値以上になったときに、遮断手段による噴霧水供給配管の遮断を解除させるものであることを特徴とする。
【００１３】
（３）（１）に記載の発明において、遮断手段が噴霧水供給配管を遮断したときに、噴霧水を排水管に排水する排水手段を有することを特徴とする。
【００１４】
（４）（３）に記載の発明において、排水手段が、噴霧水供給配管を噴霧ノズルに接続する第１位置と、噴霧水供給配管を排水管に接続する第２位置との二位置で切り換えられる流路切換手段と、状態検出手段が検出した水圧又は流量が所定値より小さいか否か判断し、所定値より小さくないと判断したときには、流路切換手段を第１位置に切換え、所定値より小さいと判断したときには、流量切換手段を第２位置に切り換える切換制御手段とを有することを特徴とする。
【００１５】
（５）（３）又は（４）に記載の発明において、排水管が貯湯タンクに接続していることを特徴とする。
【００１６】
（６）（１）乃至（５）の何れか１つに記載の発明において、状態検出手段が検出する水圧又は流量が所定値より小さくなったときに、水圧又は流量不足を表示する水圧・流量不足表示手段を有することを特徴とする。
【００１７】
（７）（１）乃至（６）の何れか１つに記載の発明において、低温噴霧水と高温噴霧水を所定の間隔で噴霧ノズルから噴霧するように、噴霧水の温度調整を行う温度調整手段を有することを特徴とする。
【００１８】
（８）（１）乃至（７）の何れか１つに記載の発明において、貯湯タンクの残湯量を検出する残湯量検出手段を有し、遮断制御手段が、残湯量検出手段が検出した残湯量が所定量以下であるときに、遮断手段に噴霧水供給配管を遮断させるものであることを特徴とする。
【００１９】
（９）（８）に記載の発明において、残湯量検出手段が検出した残湯量が所定量以下であるときに、湯切れを表示する湯切れ表示手段を有することを特徴とする。
【００２０】
（１０）（１）乃至（９）の何れか１つに記載の発明において、熱源が、コージェネレーションシステムの発電機又は電気給湯器であることを特徴とする。
【００２１】
（１１）浴室に取り付けられる１個又は２個以上の噴霧ノズルから湯をミスト状に噴霧してミストサウナ環境を作り出すミストサウナ装置において、湯を貯める貯湯タンクに噴霧ノズルを接続し、貯湯タンクの貯湯水を噴霧ノズルに供給する噴霧水供給配管と、噴霧水供給配管上に配設された加熱手段と、加熱手段の下流側にて貯湯水供給配管から分岐し、貯湯タンクの頂部に接続する温水回収配管と、加熱手段の下流側に配設され、加熱手段で加熱した貯湯水を噴霧ノズルと温水回収配管とに分流する分流手段と、を有することを特徴とする。
【００２２】
（１２）（１１）に記載の発明において、貯湯タンクの貯湯温度を検出する貯湯温度検出手段と、貯湯温度検出手段が検出した貯湯温度と噴霧水の設定温度とを比較し、貯湯温度が噴霧水の設定温度より低いときに、加熱手段に噴霧水供給配管を流れる貯湯水を加熱させる加熱制御手段とを有することを特徴とする。
【００２３】
（１３）（１１）又は（１２）に記載の発明において、噴霧水供給配管を流れる噴霧水の流量を検出する流量検出手段と、流量検出手段の検出結果に基づいて、分流手段が噴霧ノズルと温水回収配管とに噴霧水を分流する割合を決定する分流制御手段とを有することを特徴とする。
【００２４】
（１４）（１１）乃至（１３）の何れか１つに記載の発明において、貯湯タンクが、熱と電力を併給するコージェネレーションシステムに含まれるものであって、噴霧水供給配管が、貯湯タンクの頂部に給水源を接続し、コージェネレーションシステムの発電機と熱交換する熱交換器を配設された排熱回収配管と、熱交換器と貯湯タンクとの間にて排熱回収配管から分岐し、噴霧ノズルに接続するものであって、上流側から加熱手段と分流手段を順に配設された供給配管と、熱交換器より上流側にて排熱回収配管から分岐し、貯湯タンクの底部に接続する給水配管と、給水配管より上流側にて排熱回収配管から分岐し、供給配管に対して加熱手段より上流側に接続する補給配管とを含み、貯湯タンクの貯湯温度を検出する貯湯温度検出手段と、供給配管上であって、補給配管の上流側に配設され、供給配管を開閉する開閉手段と、貯湯温度検出手段が検出した貯湯温度を噴霧水の設定温度と比較し、貯湯温度が噴霧水の設定温度より高い場合には、開閉手段に共通配管を開させ、貯湯温度が噴霧水の設定温度より低い場合には、開閉手段に共通配管を閉させる開閉制御手段とを有することを特徴とする。
【００２５】
（１５）（１４）に記載の発明において、補給配管が共通配管に接続する接続部分に配設され、開閉手段から供給される高温水と、補給配管から供給される低温水とを混合して、噴霧水を設定温度に調整する温度調整手段を有することを特徴とする。
【００２６】
（１６）（１）乃至（１５）の何れか１つに記載の発明において、請求項１乃至請求項１５の何れか１つに記載するミストサウナ装置において、噴霧ノズルから噴霧した噴霧水の流量を所定の間隔で検出して記憶する噴霧量記憶手段と、ミストサウナ装置の作動時間を記憶する作動時間記憶手段と、噴霧量記憶手段と作動時間記憶手段に記憶されているデータを平均処理して、予測対象日におけるミストサウナ装置の使用パターンを予測する使用パターン予測手段と、予測手段が予測した使用パターンに基づいて、予測対象日に貯湯タンクに貯湯する貯湯パターンを決定する貯湯パターン決定手段とを有することを特徴とする。
【発明の効果】
【００２７】
次に、上記構成を有するミストサウナ装置の作用効果について説明する。
噴霧ノズルは、貯湯水供給配管を介して貯湯タンクに接続し、貯湯タンクの内圧で貯湯水をミスト状に噴霧する。給湯直接利用方式のように最低作動流量の制限がなく、噴霧ノズルから噴霧水を適量ずつ噴霧することができるので、噴霧水を無駄に消費せず、ランニングコストが安価である。また、液−液熱交換方式のように液−液熱交換器を設ける必要がないので、構造が単純であり、機器コストが安価である。
【００２８】
噴霧ノズルから噴霧される噴霧水の水圧又は流量は、状態検出手段によって検出されている。遮断制御手段は、状態検出手段が検出した水圧又は流量を入力し、水圧又は流量が所定値より小さいか否かを判断する。ここで、所定値とは、噴霧水を噴霧ノズルからミスト状に噴霧するために必要な水圧又は流量をいう。水圧又は流量が所定値より小さいと判断した場合には、遮断手段に噴霧水供給配管を遮断させ、噴霧水の噴霧を停止する。これにより、噴霧水がミスト状に噴霧されず、熱交換比率が低下したり、噴霧水が噴霧ノズルから滴下して、使用者に火傷を負わせる恐れがない。
よって、本発明のミストサウナ装置によれば、噴霧水の熱交換比率を良好にして、噴霧中に噴霧水が噴霧ノズルから滴下するのを防止することができる。
【００２９】
状態検出手段が水圧を検出した場合において、当該水圧が所定値以上になったことを遮断制御手段が認識すると、遮断手段による噴霧水供給配管の遮断を解除し、貯湯タンクの貯湯水を噴霧ノズルから再度噴霧し始めるので、水圧に基づいて噴霧又は停止を自動制御して、効率よくミストサウナ環境を作り出すことができる。
【００３０】
遮断手段が噴霧水供給配管を遮断したときに、排水手段によって噴霧水を排水管に排水するようにすれば、噴霧水の滴下をより確実に防止できる。
特に、排水手段が流路切換手段と切換制御手段を有する場合には、切換制御手段が、水圧又は流量が所定値より小さくないと判断したときには、流路切換手段を第１位置に切換え、貯湯タンクの貯湯水を噴霧ノズルから噴霧させ、また、水圧又は流量が所定値より小さいと判断したときには、流路切換手段を第２位置に切換え、貯湯タンクの貯湯水を噴霧ノズルから噴霧せずに排水管に排水するので、高温の噴霧水が噴霧ノズルから滴下するのを物理的に防止できる。
排水管を貯湯タンクに接続した場合には、噴霧水供給配管から排水管に排水した噴霧水を貯湯タンクに戻して再利用するので、経済的である。
【００３１】
水圧又は流量が所定値より小さくなったときに、その旨を水圧・流量不足表示手段に表示するようにすれば、水圧又は流量不足により噴霧を停止しても、使用者が故障と誤認識するのを防止できる。なお、表示は、ディスプレイ等で視覚的に示してもよいし、ブザーやアナウンスなど聴覚的に示してもよい。
【００３２】
温度調整手段が所定の間隔で噴霧水を低温（例えば５０℃）と高温（例えば６０℃）に温度調整するようにした場合には、高温噴霧水と低温噴霧水が交互に噴霧ノズルから自動的に噴霧されるので、長時間快適にミストサウナ入浴することができる。
【００３３】
ミストサウナ入浴中に貯湯タンクの貯湯水がなくなると、冷水が噴霧水から噴霧され、浴室温度を急激に下げる恐れがある。そこで、残湯量検出手段が検出する貯湯タンクの残湯量を所定量と比較し、残湯量が所定量以下になったときに、遮断手段で噴霧水供給配管を遮断するようにすれば、冷水を噴霧して浴室温度を下げることがなく、ミストサウナ環境を適切に維持できる。
この場合に、湯切れ表示手段に湯切れを表示するようにすれば、湯切れによって噴霧を停止したときに、使用者が故障と誤認識するのを防止できる。
【００３４】
貯湯タンクに貯湯する湯の熱源をコージェネレーションシステムの発電機又は電気給湯器とすれば、家庭に設置されるコージェネレーションシステムや電気給湯器に噴霧水供給配管をつなげるだけで簡単にミストサウナ装置を追加できる。
【００３５】
ところで、貯湯タンクの湯が不足する場合には、噴霧水供給配管上に配設された加熱手段で噴霧水を加熱した後に噴霧ノズルから直接噴霧する。この場合、加熱手段で噴霧水を直接加熱するため、加熱手段の最低作動流量に合わせて噴霧水を加熱手段に供給する必要がある。最低作動流量がミストサウナ環境を創出するのに必要な流量より多い場合でも、分流手段が噴霧ノズルと温水回収配管に加熱された噴霧水を分流し、ミストサウナ環境を創出するのに必要な流量だけ噴霧ノズルから噴霧水を噴霧すると同時に、残りの噴霧水を温水回収配管を介して貯湯タンクに戻す。このように噴霧水を噴霧しながら貯湯タンクに蓄熱するので、ミストサウナ環境を創出するのに必要な流量ずつ噴霧水を加熱する液−液熱交換器を使用する場合と比べて、別の熱源を駆動して貯湯タンクに蓄熱する機会が減らされる。また、貯湯タンクに戻した噴霧水は貯湯水として利用されるため、給湯直接利用方式と比べて水を無駄に消費しない。
よって、本発明のミストサウナ装置によれば、噴霧水の水量を抑え、経済性、省エネ性を向上させることができる。
【００３６】
加熱手段は、噴霧水の温度が設定温度より低いときに、噴霧水を自動的に加熱するので、設定温度以上の噴霧水を継続的に噴霧して、浴室を効率よく暖めることができる。
【００３７】
噴霧水供給配管を流れる噴霧水の流量は流量検出手段に検出されている。分流制御手段は、流量検出手段が検出した流量を入力して、噴霧ノズルと温水回収配管に分流する噴霧水の割合を決定し、その割合に応じて分流手段の分流動作を制御する。そのため、加熱手段の加熱動作にかかわらず、噴霧水をほぼ一定流量で噴霧して、ミストサウナ環境を安定して作り出すことができる。
【００３８】
熱源としてコージェネレーションシステムの発電機を使用する場合には、貯湯タンクの貯湯温度を貯湯温度検出手段で検出する。貯湯温度が噴霧水の設定温度より高い場合には、開閉手段に供給配管を開放させ、熱交換器で熱交換した湯と貯湯タンクの貯湯水を排熱回収配管、開閉手段、供給配管を介して噴霧ノズルに供給する。一方、貯湯温度が噴霧水の設定温度より低い場合には、開閉手段に供給配管を閉鎖させる。すると、熱交換器で排熱を回収した湯が貯湯タンクの頂部に入力し、入力した流量分だけ貯湯タンクの底部から給水配管に貯湯水が押し出される。貯湯水は、給水配管から補給配管へと流れ、さらに供給配管を介して噴霧ノズルに供給される。このように、本発明のミストサウナ装置は、貯湯温度に応じて開閉手段を開閉するだけで、貯湯タンクの貯湯水を噴霧ノズルに使用する給湯回路と、熱源で加熱された湯を貯める貯湯回路とを簡単に切り換えることができ、流路切換構造をコンパクトにすることができる。
【００３９】
補給配管と供給配管が接続する接続部分に温度調整手段を配設し、開閉手段から供給される高温水に、熱交換器で加熱される前の低温水を混合して噴霧水の温度調整をするようにすれば、簡単な構造で温度調整機構を設けることができる。
【００４０】
ミストサウナ装置を使用したときには、噴霧ノズルから浴室に噴霧した噴霧水の噴霧量を所定の間隔で検出して噴霧量記憶手段に記憶するとともに、ミストサウナ装置の作動時間を検出して作動時間記憶手段に記憶している。そして、例えば予測対象日の前日に、噴霧量記憶手段と作動時間記憶手段から過去のデータを読み出して平均処理し、予測対象日におけるミストサウナの使用パターンを予測する。平均処理によってデータのバラツキを小さくしているので、ミストサウナの使用パターンを精度よく予測できる。この使用パターンに従って貯湯パターンを作成し、予測対象日当日に貯湯パターンに従って貯湯タンクに貯湯する。このようにして、本発明のミストサウナ装置は、ミストサウナの作動開始時刻に合わせてミストサウナ入浴に必要な熱量を貯湯タンクに蓄熱するので、放熱ロスを少なくでき、ミストサウナ入浴時に貯湯水が不足する不具合を回避できる。
【発明を実施するための最良の形態】
【００４１】
（第１実施の形態）
次に、本発明に係るミストサウナ装置の第１実施の形態について図面を参照して説明する。図１は、ミストサウナ装置１Ａの概略構成図である。
ミストサウナ装置１Ａは、コージェネレーションシステムや電気温水システムなど貯湯タンク２を備えるシステムに組み付けられる。ミストサウナ装置１Ａは、噴霧水供給配管３、噴霧ノズル４、混合弁（「温度調整手段」に相当。）５、給水配管６、流量調整弁７、温度センサ８、圧力センサ（「状態検出手段」に相当。）９、三方電磁弁（「遮断手段」、「流路切換手段」に相当。）１０、排水管１１、加熱装置１２、制御装置（「遮断制御手段」、「切換制御手段」に相当。）１３、リモコン（「水圧・流量不足表示手段」、「湯切れ表示手段」に相当。）１４等から構成され、貯湯タンク２の内圧を利用して、浴室１７に取り付けられた１個又は２個以上の噴霧ノズル４から噴霧水をミスト状に噴霧し、ミストサウナ環境を作り出すようにされている。
【００４２】
貯湯タンク２は、熱源１５で加熱された湯が貯湯配管１６を介して流入する。通常、給水源の元圧は約０．３ＭＰａであるが、貯湯タンク２は、図示しない減圧弁が上流に配設され、元圧より減圧された湯を貯めている。貯湯タンク２は、風呂や台所、床暖房など複数の熱機器に貯湯水を供給するため、ある程度の水圧が必要であるが、水圧が元圧まで高すぎると、流量制御が難しいため、内圧を元圧より低圧にしている。また、貯湯タンク２の内圧が元圧まで高いと、耐圧性を確保するために貯湯タンク２の肉厚を厚くするなど機器コストがかかるため、貯湯タンク２の内圧を元圧より低圧にしている。具体的には、例えば、熱源１５が電気給湯器である場合には、貯湯タンク２は、低圧用であれば内圧が約０．０８ＭＰａに設定され、高圧用であれば内圧が約０．１５〜０．１７ＭＰａに設定される。また、熱源１５がコージェネレーションシステムの発電機である場合には、貯湯タンク２は内圧が約０．１５ＭＰａに設定される。本実施の形態では、ミストサウナ装置１Ａをコージェネレーションシステムに組み付けるものとし、貯湯タンク２の内圧を０．１５ＭＰａに設定している。
【００４３】
貯湯タンク２は、噴霧水供給配管３を介して噴霧ノズル４に接続し、内圧を利用して貯湯水を噴霧ノズル４に送り出している。噴霧ノズル４は、浴室１７の天井等に１個又は２個以上配設され、噴霧水供給配管３から供給された噴霧水を浴室１７内にミスト状に噴霧する。浴室１７には、室温計１８が設けられ、浴室１７の室温を検出している。
【００４４】
混合弁５は、第１ポート５ａと第２ポート５ｂとを連通する第１弁部と、第２ポート５ｂと第３ポート５ｃとを接続する第２弁部とを内蔵し、コイルへの通電量に応じて第１弁部と第２弁部の開度を調整する三方電磁弁であって、噴霧水供給配管３上に配設されている。混合弁５は、第１ポート５ａが貯湯タンク２に接続され、第２ポート５ｂが温度センサ８に接続され、第３ポート５ｃが流量調整弁７に接続されており、貯湯タンク２の貯湯水に水を混合して温度調整するようになっている。温度センサ８は、混合弁５の第２ポート５ｂから出力される噴霧水の温度を検出している。
【００４５】
圧力センサ９は、噴霧水供給配管３上に配設され、噴霧ノズル４から噴霧する噴霧水の水圧を検出している。圧力センサ９の下流側には、三方電磁弁１０が配設され、噴霧水供給配管３の開閉を制御している。三方電磁弁１０は、第１ポート１０ａと第２ポート１０ｂとを連通する第１弁部と、第１ポートと第３ポート１０ｃとを連通する第２弁部とを内蔵し、コイルへの通電量に応じて第１弁部と第２弁部の開度を調整するようにされている。三方電磁弁１０は、第１ポート１０ａが圧力センサ９に接続され、第２ポート１０ｂが噴霧ノズル４に接続され、第３ポート１０ｃが排水管１１に接続されている。排水管１１は、貯湯配管１６に接続し、噴霧水供給配管３から排水された噴霧水を貯湯タンク２に戻している。貯湯配管１６には、加熱装置１２が配設され、貯湯配管１６を流れる水を加熱できるようになっている。
【００４６】
貯湯タンク２には、残湯量検出センサ１９が配設されている。貯湯タンク２は、貯湯水が温度によって層を作るため、貯湯タンク２から噴霧水供給配管３に送り出される貯湯水の温度を検出すれば、貯湯タンク２の残湯量を検出できる。残湯量検出センサ１９は、貯湯タンク２の頂部にある貯湯水の貯湯温度を検出して残湯量を算出している。また、ミストサウナ装置１Ａは、リモコン１４を備えている。
【００４７】
図２は、リモコン１４の平面図である。
リモコン１４は、ミストサウナ装置１Ａの電源をオン／オフする電源スイッチ２０が設けられている。リモコン１４には、ミストサウナの入浴指定時刻や入浴時間を設定するための時間設定スイッチ２１と、ミストサウナの入浴温度を設定するための温度設定スイッチ２２とを備え、時間設定スイッチ２１又は温度設定スイッチ２２を押下して、アップスイッチ２３とダウンスイッチ２４を操作することにより入浴指定時刻や入浴時間、入浴温度を任意に設定することができる。入浴指定時刻や入浴時間、浴室温度は、表示部２５に表示されるため、簡単に設定できる。また、リモコン１４には、スピーカ２６が設けられ、ブザー音やアナウンス等を出力できるようになっている。
【００４８】
図３は、制御装置１３のブロック図である。
制御装置１３は、市販のマイクロコンピュータであって、入出力インターフェース２７、ＣＰＵ２８、ＲＯＭ２９、ＲＡＭ３０、メモリ３１、タイマ３２、時刻検出器３３などで構成されている。制御装置１３は、コージェネレーションシステムやそれに接続する電力機器や熱機器を総合的に制御するものであり、ミストサウナ装置１Ａも制御対象に含んでいる。
【００４９】
入出力インターフェース２７は、外部機器との信号授受を制御するものであり、温度センサ８、圧力センサ９、室温計１８、残湯量検出センサ１９、混合弁５、流量調整弁７、三方電磁弁１０、加熱装置１２、リモコン１４などが接続し、信号の送受信を行う。
ＣＰＵ２８は、演算や処理を司る中央処理装置である。
ＲＯＭ２９は、貯湯タンク２に接続する熱機器を制御するプログラムや、コージェネレーションシステムの発電機１５を制御するプログラムなど各種プログラムを格納するとともに、プログラムの実行に必要な各種データを格納している。ＲＯＭ２９に格納されるプログラムの１つとして、ミストサウナ装置１Ａを制御するミストサウナ制御プログラム３４が含まれている。
【００５０】
ＲＡＭ３０とメモリ３１は、データを入出力するものであり、リモコン１４で設定された入浴指定時刻や入浴時間、入浴温度等を記憶する。
また、制御装置１３は、経過時間を計測するためのタイマ３２や、時刻を検出するための時刻検出器３３を内蔵している。
【００５１】
次に、ミストサウナ装置１Ａの動作について説明する。図４は、ミストサウナ制御処理を示すフローチャートである。
制御装置１３は、ＲＯＭ２９からミストサウナ制御プログラム３４を読み出して実行し、ミストサウナ装置１Ａを制御する。ミストサウナ制御プログラム３４は、設定条件に合わせてミストサウナ環境を作り出すときに、水圧に基づいて噴霧を制御する点に特徴を有している。
【００５２】
具体的には、図４のステップ１（以下「Ｓ１」と略記する。）において、給湯要求があるか否かを判断する。ミストサウナ装置１Ａは、季節によって異なるが、例えば浴室１７の室温を４０度前後まで上昇させるのに、約６０℃の湯を３０分程度噴霧し続ける必要がある。この場合、入浴指定時刻の約３０分前からミストサウナ装置１Ａを作動し、浴室室温を上昇させなければならない。そこで、ミストサウナ装置１Ａが噴霧水を噴霧し始める作動開始時刻を時刻検出器３３が検出したときに、ミストサウナ装置１Ａから給湯要求があったと認識する。
【００５３】
給湯要求があっても、時刻検出器３３が作動開始時刻を検出していない場合には、給湯要求がミストサウナ装置１Ａ以外と判断し（Ｓ２：ＮＯ）、Ｓ３において、通常の給湯動作を行う。一方、時刻検出器３３が作動開始時刻を検出した場合には、給湯要求がミストサウナ装置１Ａであると判断し（Ｓ２：ＹＥＳ）、Ｓ４において、タンク蓄熱量が設定値より大きいか否かを判断する。ここで、設定値とは、ミストサウナ入浴で消費する熱量をいう。例えば、６０℃の湯を毎分１Ｌ／ｍｉｎずつ浴室１７に噴霧したときに、約３０分で浴室１７の室温を入浴温度である４１℃まで上昇させることができ、入浴時間が１０分に設定されているとすると、ミストサウナ入浴には、６０℃以上の貯湯水が４０〜５０Ｌ程度必要になるので、設定値として、６０℃の湯を５０Ｌ蓄熱した場合の熱量を設定する。
【００５４】
残湯量検出センサ１９の検出結果を入力し、貯湯タンク２に６０℃以上の湯が５０Ｌ以上貯められていないときには、貯湯タンク２の蓄熱量が設定値より大きくないと判断する（Ｓ４：ＮＯ）。この場合には、貯湯水を浴室１７に噴霧しても浴室１７の室温を効率よく上昇させることができないか、或いは浴室室温を低下させるおそれがあるので、Ｓ５において、加熱装置１２を駆動して、貯湯タンク２に蓄熱する。そして、Ｓ６において、三方電磁弁１０の第１弁部を閉じて第１ポート１０ａと第２ポート１０ｂとの連通を遮断し、噴霧水供給配管３を閉鎖する。そして、三方電磁弁１０の第２弁部を開いて第１ポート１０ａを第３ポート１０ｃに連通させ、噴霧水供給配管３の噴霧水を排水管１１を介して貯湯配管１６に供給し、加熱装置１２で加熱してから貯湯タンク２に戻す。
【００５５】
一方、残湯量検出センサ１９の検出結果を入力し、６０℃以上の湯が５０Ｌ以上貯められている場合には、貯湯タンク２の蓄熱量が設定値より大きいと判断する（Ｓ４：ＹＥＳ）。そして、Ｓ７において、圧力センサ９が検出した水圧を入力し、水圧が設定値より大きいか否かを判断する。ここで、設定値とは、噴霧ノズル４から噴霧水をミスト状に噴霧するために必要な水圧をいう。一般的に、噴霧水をミスト状に噴霧するのに必要な水圧が０．０５ＭＰａであるので、本実施の形態では設定値を０１５ＭＰａに設定する。
【００５６】
貯湯タンク２の内圧は、０．１５ＭＰａであるため、貯湯タンク２の内圧を利用すれば噴霧ノズル４から噴霧水をミスト状に噴霧できることになる。しかし、例えば、ミストサウナ装置１Ａと同時に台所等で貯湯水を使用すると、噴霧水の水圧が低下することがある。この場合には、水圧が０１５ＭＰａより小さいと判断し（Ｓ７：ＮＯ）、三方電磁弁１０の第１弁部を閉弁して噴霧水供給配管３を閉鎖し、噴霧ノズル４から湯を噴霧しない。このとき、三方電磁弁１０の第２弁部が閉弁していれば、水圧が０．１５ＭＰａになるまで待機する。三方電磁弁１０の第２弁部が開弁していれば、湯は排水管１１、貯湯配管１６を介して貯湯タンク２に戻される。
【００５７】
一方、水圧が０．１５ＭＰａ以上であると判断した場合には（Ｓ７：ＹＥＳ）、Ｓ８において、温度センサ８が検出する噴霧水の温度を入力し、噴霧水の温度が設定温度より高温か否かを判断する。ここで、設定温度とは、浴室１７の空気と熱交換して室温を設定温度まで効率よく上昇させられる温度をいい、本実施の形態では、６０℃としている。温度センサ８が検出した温度が６０℃より高温である場合には（Ｓ８：ＹＥＳ）、Ｓ９において、混合弁５の第１弁部と第２弁部の弁開度を調整し、貯湯水に水を混合して噴霧水を６０℃に温度調整する。
【００５８】
このようにして噴霧水の水圧を０．１５Ｍｐａ以上、温度を６０℃に調整したら、Ｓ１０において、三方電磁弁１０の第１弁部を開弁し、噴霧水を１Ｌ／ｍｉｎに流量制御して噴霧ノズル４に供給する。噴霧ノズル４は、噴霧水を浴室１７に１Ｌ／ｍｉｎずつミスト状に噴霧する。噴霧水は空気との熱交換し、浴室１７の室温を上昇させる。
【００５９】
そして、Ｓ１１において、浴室１７の室温が設定温度である４１℃に達したか否かを判断する。浴室１７の室温が設定温度に達していない場合には（Ｓ１１：ＮＯ）、Ｓ４に戻って処理を続行し、浴室１７の室温を上昇させ続ける。この場合にも、水圧を監視しながら噴霧水を制御するので、噴霧水が適量ずつミスト状に噴霧され、効率よく浴室温度が上昇する。
【００６０】
浴室１７の室温が設定温度に達したときには（Ｓ１１：ＹＥＳ）、Ｓ１２において、リモ入浴指定時刻が設定されているか否かを判断する。入浴指定時刻が設定されているときには（Ｓ１２：ＹＥＳ）、Ｓ１３において、時刻検出器３３が入浴指定時刻を検出したか否かを判断する。時刻検出器３３が入浴指定時刻を検出していないときには（Ｓ１３：ＮＯ）、浴室１７の室温を設定温度に維持するため、Ｓ４に戻って処理を続行する。
【００６１】
時刻検出器３３が入浴指定時刻を検出したときには（Ｓ１３：ＹＥＳ）、Ｓ１４において、リモコン１４のスピーカ２６からブザーを鳴らし、ミストサウナ入浴が可能になったことを使用者に知らせる。制御装置１３には、予め定められた或いは使用者がリモコン１４に入力した入浴時間（例えば１０分）が記憶されており、入浴指定時刻になると同時にタイマ３２を起動して、入浴時間を計測し始める。なお、入浴指定時刻が設定されていないときには（Ｓ１３：ＮＯ）、浴室１７の室温が４１℃に達すると同時に（Ｓ１１：ＹＥＳ）、ブザーを鳴らして、タイマ３２を起動する。
【００６２】
入浴時間が経過するまでは（Ｓ１５：ＮＯ）、Ｓ４以降の処理を繰り返して実行し、水圧を監視しながら浴室１７の室温を４１℃に維持し、ミストサウナ環境を作り続ける。この場合にも、水圧を監視しながら噴霧水の供給を制御するので、水圧が低下しても、噴霧ノズル４から噴霧水が滴下しない。入浴時間が経過すると（Ｓ１５：ＹＥＳ）、三方電磁弁１０の第１弁部と第２弁部を閉弁して、噴霧水供給配管３を閉鎖し、噴霧ノズル４からの噴霧を自動停止する。
【００６３】
従って、本実施の形態のミストサウナ装置１Ａでは、噴霧ノズル４が、貯湯水供給配管３を介して貯湯タンク２に接続し、貯湯タンク２の内圧で貯湯水をミスト状に噴霧する。給湯直接利用方式のように最低作動流量の制限がなく、噴霧ノズル４から噴霧水を適量ずつ噴霧することができるので、噴霧水を無駄に消費せず、ランニングコストが安価である。また、液−液熱交換方式のように液−液熱交換器を設ける必要がないので、構造が単純であり、機器コストが安価である。
【００６４】
噴霧ノズル４から噴霧される噴霧水の水圧は、圧力センサ９によって検出されている。三方電磁弁１０は、圧力センサ９が検出した水圧を入力し、水圧が０．１５Ｍｐａ以上か否かを判断する（図４のＳ７）。水圧が０．１５Ｍｐａより小さいと判断した場合には（図４のＳ７：ＮＯ）、三方電磁弁１０の第１弁部を閉弁させて噴霧水供給配管３を遮断させ、噴霧水の噴霧を停止する（図４のＳ６）。これにより、噴霧水がミスト状に噴霧されず、熱交換比率が低下したり、ミストサウナ入浴中に噴霧水が噴霧ノズル４から滴下して、使用者に火傷を負わせる恐れがない。
よって、本実施の形態のミストサウナ装置１Ａによれば、噴霧水の熱交換比率を良好にして、噴霧中に噴霧水が噴霧ノズル４から滴下するのを防止することができる。
【００６５】
その後、圧力センサ９が検出した水圧が所定値以上になったことを認識すると（図４のＳ７：ＹＥＳ）、遮断手段による噴霧水供給配管の遮断を解除し、貯湯タンクの貯湯水を噴霧ノズルから再度噴霧し始めるので（図４のＳ８〜Ｓ１０）、水圧に基づいて噴霧又は停止を自動制御して、効率よくミストサウナ環境を作り出すことができる。
【００６６】
三方電磁弁１０が噴霧水供給配管３を遮断したときに、三方電磁弁１０の第２弁部を開弁して噴霧水を噴霧水供給配管３から排水管１１に排水するので、噴霧水の滴下をより確実に防止できる。
特に、排水管１１を貯湯タンク２に接続し、噴霧水供給配管３から排水管１１に排水した噴霧水を貯湯タンク２に戻して再利用するので、経済的である。
【００６７】
水圧が０．１５Ｍｐａより小さくなったときに（図４のＳ７：ＮＯ）、その旨をリモコン１４の表示部２５に表示すれば、水圧不足により噴霧を停止しても、使用者が故障と誤認識するのを防止できる。なお、表示は、表示部２５等で視覚的に示してもよいし、スピーカ２６からブザー音やアナウンスなどを流して聴覚的に示してもよい。
【００６８】
混合弁５の第１弁部と第２弁部との弁開度を調整し、所定の間隔で噴霧水を低温（例えば５０℃）と高温（例えば６０℃）に温度調整するようにすれば、高温噴霧水と低温噴霧水が交互に噴霧ノズル４から自動的に噴霧されるので、長時間快適にミストサウナ入浴することができる。
【００６９】
ミストサウナ入浴中に貯湯タンク２の貯湯水がなくなると、冷水が噴霧水から噴霧され、浴室温度を急激に下げる恐れがある。この不具合に対して、残湯量検出センサ１９が検出する貯湯タンク２の残湯量を所定量と比較し（図４のＳ４）、残湯量が所定量以下になったときに（図４のＳ４：ＮＯ）、三方電磁弁１０の第１弁部を閉弁して噴霧水供給配管３を遮断するので（図４のＳ５，Ｓ６）、冷水を噴霧して浴室温度を下げることがなく、ミストサウナ環境を適切に維持できる。
この場合に、リモコン１４の表示部２５に湯切れを表示したり、スピーカ２６からブザー音などを鳴らして使用者に湯切れを知らせるようにすれば、湯切れによって噴霧を停止したときに、使用者が故障と誤認識するのを防止できる。
【００７０】
なお、貯湯タンク２に貯湯する湯の熱源１５がコージェネレーションシステムの発電機であるので、家庭に設置されるコージェネレーションシステムに噴霧水供給配管３をつなげるだけで簡単にミストサウナ装置１Ａを追加できる。
【００７１】
（第２実施の形態）
次に、本発明のミストサウナ装置の第２実施の形態について図面を参照して説明する。図５は、ミストサウナ装置１Ｂの概略構成図である。
本実施の形態のミストサウナ装置１Ｂは、貯湯タンク２の貯湯水を所定の温度に調整して、浴室１７に取り付けられた噴霧ノズル４からミスト状に噴出し、ミストサウナ環境を作り出す点で第１実施の形態のミストサウナ装置１Ａと共通するが、ガス給湯器（「加熱手段」に相当。）４４で加熱した噴霧水を噴霧ノズル４と温水回収配管５１に分流する点で第１実施の形態のミストサウナ装置１Ａと相違している。よって、ここでは、第１実施の形態と相違する点を中心に説明し、第１実施の形態と共通する点については図面に同一符号を用い、適宜説明を省略する。
【００７２】
ミストサウナ装置１Ｂは、家庭用のコージェネレーションシステムに組み付けられる。コージェネレーションシステムは、家庭に設置された電力機器に供給する電力を発電機（燃料電池やガスエンジンなど）で発電し、発電機の排熱を熱交換器４３で回収して貯湯タンク２に蓄熱しておき、熱機器の給湯要求に応じて貯湯タンク２から貯湯水を供給するよう構成されている。ミストサウナ装置１Ｂは、貯湯タンク２の貯湯水を噴霧ノズル４に供給するように噴霧水供給配管４１が配管されるとともに、噴霧水供給配管４１から分岐して噴霧水を貯湯タンク２の頂部に戻すように温水回収配管５１が配管されている。
【００７３】
噴霧水供給配管４１は、排熱回収配管４１ａ、供給配管４１ｂ、給水配管４１ｃ、補給配管４１ｄとから構成されている。
排熱回収配管４１ａは、給水源４２を貯湯タンク２の頂部に接続している。排熱回収配管４１ａ上には、コージェネレーションシステムの発電機に連結する熱交換器４３が配設されている。
供給配管４１ｂは、排熱回収配管４１ａの熱交換器４３と貯湯タンク２との間から分岐し、噴霧ノズル４に接続している。
給水配管４１ｃは、排熱回収配管４１ａの熱交換器４３の上流側から分岐して、貯湯タンク２の底部に接続している。
補給配管４１ｄは、給水配管４１が排熱回収配管４１ａから分岐する第１分岐位置Ｐ１より上流側において、排熱回収配管４１ａから分岐し、供給配管４１ｂに接続している。
【００７４】
供給配管４１ｂは、補給配管４１ｄが接続する第１接続位置と、温水回収配管５１が接続する第２接続位置との間に、ガス給湯器４４が配設されている。ガス給湯器４４には、流量計４５が内設され、供給配管４１ｂを流れる噴霧水の流量を検出している。また、ガス給湯器４４の出口には、第４温度センサ４９が配設され、噴霧ノズル４から噴霧する噴霧水の温度を検出している。
【００７５】
供給配管４１ｂは、三方電磁弁（「分流手段」に相当。）１０が第２接続位置に配設されている。三方電磁弁１０は、第１ポート１０ａと第２ポート１０ｂとを連通させる第１弁部と、第１ポート１０ａと第３ポート１０ｃを連通させる第２弁部とを内蔵し、非通電時には第１弁部と第２弁部を全閉しており、コイル部への通電量に比例して第１弁部と第２弁部との開度を調整する。三方電磁弁１０は、第１ポート１０ａがガス給湯器４４に接続され、第２ポート１０ｂが噴霧ノズル４に接続され、第３ポート１０ｃが温水回収配管５１に接続されており、上流から供給される噴霧水を噴霧ノズル４と温水回収配管５１に任意の割合で分流できるようにされている。
【００７６】
また、供給配管４１ｂには、混合弁（「温度調整手段」に相当。）５が第１接続位置に配設されている。混合弁５は、第１ポート５ａと第２ポート５ｂを連通する第１弁部と、第２ポート５ｂと第３ポート５ｃを連通する第２弁部とを内蔵し、非通電時には第１弁部を全開し、第２弁部を全閉している。混合弁５は、第１ポート５ａが排熱回収配管４１ａに接続され、第２ポート５ｂがガス給湯器４４に接続され、第３ポート５ｃが補給配管４１ｄに接続されている。第１ポート５ａには、第１温度センサ４６が配設され、排熱回収配管４１ａから供給される湯の温度を検出している。また、第２ポート５ｂには、第２温度センサ４７が配設され、混合弁５から出力される噴霧水の温度を検出している。第３ポート５ｃには、第３温度センサ４８が配設され、補給配管４１ｄを流れるの水の温度を検出している。混合弁５は、第１〜第３温度センサ４６〜４８の検出結果に基づいてコイル部に供給される電流量が決定され、第１弁部と第２弁部の弁開度を調整する。
さらに、供給配管４１ｂには、混合弁５の上流側に開閉弁（「開閉手段」に相当。）５０が配設されている。開閉弁５０は、ノーマルオープンタイプの電磁弁である。
【００７７】
ミストサウナ装置１Ｂを構成する機器は、制御装置（「分流制御手段」、「加熱制御手段」、「開閉制御手段」に相当。）５２によって制御される。図６は、制御装置５２のブロック図である。
制御装置５２は、コージェネレーションシステムの構成機器や電力機器、熱機器の動作を総合的に制御するものであり、その制御対象としてミストサウナ装置１Ｂを含んでいる。制御装置５２は、基本的に第１実施の形態の制御装置１３と同様の構造をなす。入出力インターフェース２７には、室温計１８、残湯量検出センサ（「貯湯温度検出手段」に相当。）１９、流量計（「流量検出手段」に相当。）４５、第１温度センサ４６、第２温度センサ４７、第３温度センサ４８、第４温度センサ４９、混合弁５、三方電磁弁１０、熱交換器４３、ガス給湯器４４、開閉弁５０、リモコン１４などが接続し、信号の送受信を行う。
また、ＲＯＭ２９には、ミストサウナ制御プログラム３４の他、貯湯タンク２の貯湯温度に応じて流路を切換え、噴霧ノズル４と温水回収配管５１に噴霧水を分流する分流制御プログラム５３が格納されている。
【００７８】
このような構成を有するミストサウナ装置１Ｂの動作についてフローチャートを参照しながら説明する。図７は、分流制御処理を示すフローチャートである。図８は、分流制御の内容を説明する説明図であって、タンク蓄熱利用時に給湯動作を示す概念図である。図９は、分流制御の内容を説明する説明図であって、タンク湯切れ時の給湯動作を示す概念図である。
制御装置５２は、ミストサウナ装置１Ｂによって噴霧ノズル４から噴霧水を噴霧しているときに、分流制御プログラム５３をＲＯＭ２９から読み出して実行する。初期状態のミストサウナ装置１Ｂは、開閉弁５０が全開し、また混合弁５が第１弁部を全開するとともに、第２弁部を全閉し、さらに、三方電磁弁１０が第１弁部と第２弁部を全閉している。
【００７９】
図７のＳ２１において、給湯要求があったことを確認すると、Ｓ２２において、その給湯要求がミストサウナ装置１Ｂであるか否かを確認する。ミストサウナ装置１Ｂでない場合には、Ｓ２３において、通常の給湯動作を行い、ミストサウナ装置１Ｂである場合には、Ｓ２４において、タンク蓄熱量が設定値より大きいか否かを判断する。なお、Ｓ２１〜Ｓ２４の処理は、図４のＳ１〜Ｓ４と同様であるので、説明を省略する。
【００８０】
タンク蓄熱量が設定値より大きく、貯湯タンク２の貯湯水でミストサウナの熱負荷を賄える場合には（Ｓ２４：ＹＥＳ）、Ｓ２５において、図８に示すように、三方電磁弁１０の第１ポート１０ａを第２ポート１０ｂに接続するとともに、開閉弁５０を開弁する。コージェネレーションシステムを運転していないときには、貯湯タンク２の貯湯水だけが排熱回収配管 ４１ａから開閉弁５０を介して供給配管４１ｂに流入し、噴霧ノズル４から所定の流量Ｘ（Ｌ／ｍｉｎ）ずつ噴霧される。
【００８１】
Ｓ２６では、噴霧水の温度調整がなされる。制御装置５２は、第２温度センサ４７が検出する温度を入力し、噴霧水が所定の温度に温度調整されているか否かを調べる。ここで、所定の温度とは、噴霧水を噴霧したときに浴室１７の室温を効率よく上昇させるために必要な温度をいい、本実施の形態では６０℃とする。制御装置５２は、第１温度センサ４６と第３温度センサ４７が検出する温度を入力し、第２温度センサ４７が検出する温度が６０℃となるように第１弁部と第２弁部の弁開度を調整する。
【００８２】
コージェネレーションシステムが発電していない場合において、混合弁５が貯湯水にＷ（Ｌ／ｍｉｎ）の水を加えて温度調整すると、貯湯タンク２は、頂部から排熱回収配管４１ａに貯湯水をＸ−Ｗ（Ｌ／ｍｉｎ）送り出す。これに伴って、貯湯タンク２の底部には、給水配管４１ｃを介して排熱回収配管４１ａからＸ−Ｗ（Ｌ／ｍｉｎ）の水が給水される。給水源は、混合用の水Ｗ（Ｌ／ｍｉｎ）と貯湯タンク２への給水用の水Ｘ−Ｗ（Ｌ／ｍｉｎ）を合算した分だけ、すなわち、噴霧水の噴霧量と同量となるＸ（Ｌ／ｍｉｎ）だけ排熱回収配管４１ａに水を供給する。
【００８３】
一方、コージェネレーションシステムが発電している場合には、貯湯タンク２の貯湯水と熱交換器４３で加熱された湯を合流させて開閉弁５０に供給し、供給配管４１ｂから噴霧ノズル４に供給する（図７のＳ２５）。噴霧ノズル４は、Ｘ（Ｌ／ｍｉｎ）ずつ噴霧水を噴霧する。混合弁５が貯湯水に水をＷ（Ｌ／ｍｉｎ）加え、熱交換器４３が給水源４２から水をＺ（Ｌ／ｍｉｎ）ずつ供給されて熱交換すると、貯湯タンク２はＸ−Ｗ−Ｚ（Ｌ／ｍｉｎ）ずつ頂部から排熱回収配管４１ａに貯湯水を送り出す。これに伴って、貯湯タンク２の底部には、Ｘ−Ｗ−Ｚ（Ｌ／ｍｉｎ）ずつ給水配管４１ｃを介して排熱回収配管４１ａから給水される。貯湯タンク２の貯湯水と熱交換器４３で加熱された湯は、供給配管４１ｂが排熱回収配管４１ａから分岐する第３分岐位置Ｐ３で合流し、Ｘ−Ｗ（Ｌ／ｍｉｎ）だけ開閉弁５０に流れる。混合弁５は、開閉弁５０を通過した湯に水をＷ（Ｌ／ｍｉｎ）加えて三方電磁弁１０に出力し、三方電磁弁１０はＸ（Ｌ／ｍｉｎ）ずつ噴霧水を噴霧ノズル４に供給する（図７のＳ２６）。このとき、給水源４２から排熱回収配管４１ａには、混合弁５に供給する温度調整用の水Ｗ（Ｌ／ｍｉｎ）と貯湯タンク２への給水用の水Ｘ−Ｗ−Ｚ（Ｌ／ｍｉｎ）と熱交換器４３に供給する水Ｚ（Ｌ／ｍｉｎ）とを合算した量だけ、すなわち、噴霧水の噴霧量と同量であるＸ（Ｌ／ｍｉｎ）だけ水が供給される
【００８４】
これに対して、貯湯タンク２のタンク蓄熱量が設定値以下であり、ミストサウナの熱負荷を賄えない場合には（図７のＳ２４：ＮＯ）、ガス給湯器４４で加熱した噴霧水を噴霧ノズル４から噴霧する。すなわち、Ｓ２７において、図９に示すように、三方電磁弁の第１弁部と第２弁部とを開弁し、第１ポート１０ａを第２ポート１０ｂと第３ポート１０ｃに連通させる。また、開閉弁５０への通電を遮断して開閉弁５０を全閉する。そして、Ｓ２７において、噴霧水の温度と流量を第２温度センサ４７と流量計４５でそれぞれ確認し、第４温度センサ４９が検出する噴霧水の温度が６０℃になるように、ガス給湯器４４で噴霧水を加熱する。ガス給湯器４４を駆動する場合、適切な噴霧量がＸ（Ｌ／ｍｉｎ）であっても、最低作動流量であるＸ＋Ｙ（Ｌ／ｍｉｎ）の噴霧水を混合弁５に供給する必要がある。この場合、Ｓ２８に示すように、三方電磁弁１０は、噴霧ノズル４に噴霧水を適切な噴霧量Ｘ（Ｌ／ｍｉｎ）だけ供給し、残りの噴霧水Ｙ（Ｌ／ｍｉｎ）を温水供給配管５１に供給し、貯湯タンク２に戻すように第１弁部と第２弁部の開度を調整する。
【００８５】
コージェネレーションシステムが発電していないときには、貯湯タンク２は、湯がＹ（Ｌ／ｍｉｎ）だけ流入すると、底部から給水配管４１ｃに低温の貯湯水をＹ（Ｌ／ｍｉｎ）だけ送り出す。熱交換器４３が駆動していないので、低温の貯湯水は、排熱回収配管４１ａで給水源から供給される水と合流して補給配管４１ｄに流れ込む。このとき、給水源は、噴霧水の噴霧量を補うように、水をＸ（Ｌ／ｍｉｎ）ずつ排熱回収配管４１ａに供給する。給水源４２の水は補給配管４１ｄで貯湯タンク２の貯湯水と合流し、最低作動流量と同量の水が混合弁５の第３ポート５ｃに供給される。混合弁５は、第１弁部を閉じ、第２弁部を開いているため、水を補給配管４１ｄからガス給湯器４４にそのまま供給する。
噴霧水は、ガス給湯器４４を通過する際に６０℃に加熱され、三方電磁弁１０によりＸ（Ｌ／ｍｉｎ）は噴霧ノズル４へ供給されて浴室１７に噴霧され、残りのＹ（Ｌ／ｍｉｎ）は温水供給配管５１に供給されて貯湯タンク２に蓄熱される。
【００８６】
なお、ミストサウナの熱不足のときに、コージェネレーションシステムが運転されている場合には、発電機の排熱を回収した湯も貯湯タンク２に貯められる。熱交換器４３に供給される水がＺ（Ｌ／ｍｉｎ）であるとすると、貯湯タンク２には、排熱回収配管４１ａから熱回収した湯Ｚ（Ｌ／ｍｉｎ）と温水回収配管５１からの湯Ｙ（Ｌ／ｍｉｎ）が導入される。すると、貯湯タンク２の底部から給水管４１ｃに低温の給湯水がＹ＋Ｚ（Ｌ／ｍｉｎ）送り出される。熱交換機４３が作動しているため、低温の給湯水は、熱交換器４３側にＺ（Ｌ／ｍｉｎ）流れ、残りのＹ（Ｌ／ｍｉｎ）が混合弁５側に流れる。低温の貯湯水は、給水源から供給される水Ｘ（Ｌ／ｍｉｎ）と合流して補給配管４１ｄに流入し、混合弁５を介してガス給湯器４４に供給される。ガス給湯器４４は噴霧水をＸ＋Ｙ（Ｌ／ｍｉｎ）ずつ加熱して三方電磁弁１０に供給する。三方電磁弁１０は、噴霧ノズル４に噴霧水をＸ（Ｌ／ｍｉｎ）供給し、温水回収配管５１に噴霧水をＹ（Ｌ／ｍｉｎ）供給するように、第１弁部と第２弁部の弁開度を調整する。加熱された噴霧水は、温水回収配管５１を介して貯湯タンク２に戻され、蓄熱される。
【００８７】
このような本実施の形態のミストサウナ装置１Ｂは、貯湯タンク２の蓄熱量が不足する場合には（図７のＳ２４：ＮＯ）、図９に示すように、噴霧水供給配管４１上に配設されたガス給湯器４４で噴霧水を加熱した後に噴霧ノズルから直接噴霧する（図７のＳ２７、Ｓ２８）。この場合、ガス給湯器４４で噴霧水を直接加熱するため、ガス給湯器４４の最低作動流量Ｘ＋Ｙ（Ｌ／ｍｉｎ）に合わせて噴霧水をガス給湯器４４に供給する必要がある。最低作動流量Ｘ＋Ｙ（Ｌ／ｍｉｎ）がミストサウナ環境を創出するのに必要な流量Ｘ（Ｌ／ｍｉｎ）より多くても、三方電磁弁１０が噴霧ノズル４と温水回収配管５１に加熱された噴霧水を分流し、ミストサウナ環境を創出するのに必要な流量Ｘ（Ｌ／ｍｉｎ）だけ噴霧ノズル４から噴霧水を噴霧すると同時に、残りの噴霧水Ｙ（Ｌ／ｍｉｎ）を温水回収配管５１を介して貯湯タンク２に戻す（図７のＳ２９）。このように噴霧水を噴霧ノズル４から噴霧しながら貯湯タンク２に蓄熱するので、ミストサウナ環境を創出するのに必要な流量Ｘ（Ｌ／ｍｉｎ）ずつ加熱する液−液熱交換器を使用する場合と比べて、コージェネレーションシステムの発電機を低負荷で駆動して貯湯タンク２に蓄熱する機会が減らされる。また、貯湯タンク２に戻した噴霧水は貯湯水として利用されるため、給湯直接利用方式と比べて水を無駄に消費しない。
よって、本実施の形態のミストサウナ装置１Ｂによれば、噴霧水の水量を抑え、経済性、省エネ性を向上させることができる。
【００８８】
ガス給湯器４４は、噴霧水の温度が６０℃より低いときに（図７のＳ２４：ＮＯ）、噴霧水を自動的に加熱するので、６０℃以上の噴霧水を継続的に噴霧して、浴室１７を効率よく暖めることができる。
【００８９】
噴霧水供給配管４１を流れる噴霧水の流量は流量計４５に検出されている。制御装置５２は、流量計４５が検出した流量を入力して、噴霧ノズル４と温水回収配管５１に分流する噴霧水の割合を決定し、その割合に応じて三方電磁弁１０の第１弁部と第２弁部の開度を制御する（図７のＳ２９）。そのため、ガス給湯器４４の加熱動作にかかわらず、噴霧水をほぼ一定流量Ｘ（Ｌ／ｍｉｎ）で噴霧して、ミストサウナ環境を安定して作り出すことができる。
【００９０】
また、本実施の形態のミストサウナ装置１Ｂは、図８及び図９に示すように、残湯量検出センサ１９が検出する貯湯温度に応じて開閉弁５０を開閉するだけで、貯湯タンク２の貯湯水を噴霧ノズル４に使用する給湯回路と、貯湯タンク２に熱交換器５３でコージェネレーションシステムの発電機と熱交換して加熱された湯を貯める貯湯回路とを簡単に切り換えることができ、流路切換構造をコンパクトにすることができる。
【００９１】
補給配管４１ｄと供給配管４１ｂが接続する接続部分には混合弁５が配設され、開閉弁５０から供給される高温水に、熱交換器４３で加熱される前の低温水を混合して噴霧水の温度調整をするので（図７のＳ２６）、簡単な構造で温度調整機構を設けることができる。
【００９２】
（第３実施の形態）
続いて、本発明のミストサウナ装置に係る第３実施の形態について図面を参照して説明する。図１０は、制御装置６１のブロック図である。
本実施の形態のミストサウナ装置１Ｃは、第２実施の形態と機器構成が同一であるが、制御装置６１が学習機能を備える点で第２実施の形態と相違する。よって、ここでは、第２実施の形態と異なる点を中心に説明し、共通する点については第２実施の形態と同一符号を付して説明を適宜省略する。
【００９３】
制御装置６１は、第２実施の形態の制御装置５２と基本構造が同じであるが、さらに、ＲＯＭ２９に学習機能プログラム（「予測手段」、「貯湯パターン決定手段」に相当。））６２を格納している。学習機能プログラム６２は、ミストサウナの給湯負荷を蓄積して、予測対象日におけるミストサウナの給湯負荷を予測し、貯湯パターンを決定するものである。
【００９４】
メモリ（「噴霧量記憶手段」、「作動開始時刻記憶手段」に相当。）３１には、タイマ３２、時刻検出器３３等で検出した作動時間や作動開始時刻が蓄積して記憶されている。作動時間とは、ミストサウナ装置１Ｃがミストサウナ環境と作り出すために作動し始めてから、ミストサウナ入浴が完了するまでの時間をいう。作動開始時刻とは、ミストサウナ装置１Ｃが作動し始めた時刻をいう。また、メモリ３１には、流量計４５が検出した噴霧水の流量が蓄積して記憶されている。また、メモリ３１には、使用者がリモコン１４で設定した条件（入浴指定時刻、入浴時間、入浴温度等）を記憶している。さらに、メモリ３１には、ミストサウナ装置１Ｃ以外の熱機器や電力機器についても、熱負荷と電力負荷が蓄積して記憶されている。
【００９５】
このような構成を有するミストサウナ装置１Ｃの動作についてフローチャートを参照しながら説明する。図１１は、学習機能処理を示すフローチャートである。
制御装置６１は、予測対象日の前日に学習機能プログラム６２を読み出して実行し、予測対象日の熱負荷と電力負荷を予測して、コージェネレーションシステムの運転計画を立案する。
【００９６】
即ち、先ず、Ｓ３１において、メモリ３１から入浴指定時刻、入浴時間、入浴温度のデータを入力して、制御装置５２のメモリ３１に蓄積する。
そして、Ｓ３２において、曜日毎に入浴指定時刻、入浴時間、入浴温度のデータを平均処理し、ミストサウナ装置１Ｃの使用パターンを予測するための予測用データを作成する。
【００９７】
そして、Ｓ３３において、予測用データから翌日にミストサウナが使用されるか否かを予測し、使用の有無を判断する。翌日にミストサウナを使用しない場合には（Ｓ３３：ＮＯ）、Ｓ３１に戻って待機する。
【００９８】
翌日にミストサウナを使用する場合には（Ｓ３３：ＹＥＳ）、Ｓ３４において、過去にミストサウナ装置１Ｃが噴霧した噴霧水の流量、入浴温度、作動時間などを読み出して、ミストサウナが消費する熱量を予測する。また、予測入浴指定時刻からミストサウナ環境を作り出すために必要な作動開始時刻を予測する。
【００９９】
そして、Ｓ３５において、風呂や台所、洗濯機などミストサウナ装置１Ｃ以外の熱機器が消費する熱負荷を算出し、ミストサウナ装置１Ｃ以外の熱機器が消費する熱量とミストサウナ装置１Ｃが消費する熱量とを合わせて、翌日１日分の熱負荷パターンを予測する。また、翌日に家庭の電力機器が消費する電力負荷を過去の電力負荷データから予測し、翌日１日分の電力負荷パターンを予測する。そして、熱負荷パターンと電力負荷パターンを利用して、翌日の熱負荷を賄うように発電機の起動時刻、停止時刻、運転負荷を算出し、予測対象日におけるコージェネレーションシステムの運転パターンを作成する。このように、ミストサウナ装置１Ｃだけでなく、貯湯タンク２に接続する熱機器全体の熱負荷や、コージェネレーションシステムに接続する電力機器の熱負荷を考慮することにより、コージェネレーションシステムを効率よく運転し、省エネ性、経済性を得ることが可能である。
【０１００】
そして、Ｓ３６において、翌日の運転制御時刻になったら、Ｓ３５で作成した運転パターンに従って発電機や電力機器、熱機器を運転する。従って、ミストサウナ装置１Ｃも、時刻検出器３３が作動開始時刻を検出すると、貯湯タンク２の貯湯水を噴霧ノズル４から浴室１７に噴霧し始める。当該作動開始時刻には、貯湯タンク２が、少なくとも、予測対象日にミストサウナ装置１Ｃが消費すると予測される熱量を蓄熱しているため、ミストサウナ装置１Ｃの作動中に貯湯水が不足しにくい。
コージェネレーションシステムの運転が終了したら、Ｓ３１に戻って待機する。
【０１０１】
このような本実施の形態のミストサウナ装置１Ｃでは、噴霧ノズル４から浴室１７に噴霧した噴霧水の噴霧量を流量計４５によって所定の間隔（例えば０．１ｍｓｅｃ）で検出してメモリ３１に記憶するとともに、ミストサウナ装置１Ｃの作動時間を時刻検出器３３で検出してメモリ３１に記憶している。そして、予測対象日の前日に、メモリ３１から過去のデータを読み出して平均処理し、予測対象日におけるミストサウナの使用パターンを予測する（図１１のＳ３２、Ｓ３４：ＹＥＳ、Ｓ３５）。平均処理によってデータのバラツキを小さくしているので、ミストサウナの使用パターンを精度よく予測できる。この使用パターンを含めてコージェネレーションシステムの運転計画を立案するときに、貯湯パターンも同時に作成し（図１１のＳ３５）、予測対象日当日に運転計画に従ってコージェネレーションシステムを運転し、貯湯パターンに従って貯湯タンク２に貯湯する（図１１のＳ３６）。このようにして、ミストサウナ装置１Ｃは、ミストサウナの作動開始時刻に合わせてミストサウナに必要な熱量を貯湯タンク２に蓄熱するので、放熱ロスを少なくでき、ミストサウナ入浴時に貯湯水が不足する不具合を回避できる。
【０１０２】
以上、本発明の実施の形態について説明したが、本発明は、上記実施の形態に限定されることなく、色々な応用が可能である。
【０１０３】
（１）例えば、上記実施の形態では、ミストサウナ入浴の設定温度を一定に制御する場合について説明した。これに対して、湯に水を混合する割合を増減させて高温の噴霧水と低温の噴霧水を交互に三方電磁弁１０に供給するように混合弁５の第１弁部と第２弁部の開度を制御するようにしてもよい。この場合、噴霧ノズルから高温の噴霧水と低温の噴霧水が交互に噴霧され、浴室温度が上下するゆらぎの効果が得られ、長時間快適にミストサウナ入力することができる。
【０１０４】
（２）例えば、上記第１実施の形態では、水圧に基づいて三方電磁弁１０による噴霧水供給配管３の遮断を制御したが、噴霧水供給配管３上に流量計を配設して噴霧ノズル４から噴霧する噴霧水の流量を検出し、その流量に基づいて三方電磁弁１０による噴霧水供給配管３の遮断を制御してもよい。そして、流量計が検出した流量が所定値を超過したときには、所定値の噴霧水を噴霧ノズル４に供給し、超過分の噴霧水を排水管１１に排水するように三方電磁弁１０の第１弁部と第２弁部の開度を調整することにより、噴霧ノズル４から噴霧水を一定量ずつ噴霧するようにすれば、ミストサウナ環境を入浴時間に合わせて作り出すことができ、経済性や省エネ性がよい。この場合に排水を貯湯タンク２に戻すようにすれば、噴霧水を再利用できて経済的である。
【０１０５】
（３）例えば、上記実施の形態において、最初の数秒間は三方電磁弁１０の第１弁部を全閉し、第２弁部を全開して、噴霧水供給配管３，４１内に残留する噴霧水を排水管１１や温水回収配管５１に排水してから、三方電磁弁１０の第１弁部を開いて噴霧水を噴霧するようにしてもよい。この場合、浴室１７の温度上昇に資さない低温の噴霧水を無駄に噴霧するのを防止できる。
【０１０６】
（４）例えば、上記実施の形態では、混合弁５だけで温度調整を行っている。これに対して、弁を複数個設けて湯と水を混合して温度調整を行う機構を設けてもよい。また、三方電磁弁１０についても、複数個の弁を設けて同様の機能を果たすようにしてもよい。
【０１０７】
（５）上記実施の形態では、ミストサウナ装置１Ａ〜１Ｃの使用時に貯湯タンク２にある貯湯水を使用する場合について説明した。これに対して、ミストサウナ装置１Ａ〜１Ｃが消費する熱量を事前に沸き増しするようにしてもよい。また、貯湯タンク２に複数の熱機器が接続する場合に、ミストサウナ装置１Ａ〜１Ｃから給湯要求があったときに、ミストサウナ装置１Ａ〜１Ｃが消費する貯湯水を優先的に確保するようにしてもよい。
【０１０８】
（６）例えば、上記第１実施の形態では、熱源１５をコージェネレーションシステムの発電機とし、貯湯タンク２の内圧を０．１５ＭＰａに設定した。それに対して、熱源１５を電気給湯器とし、貯湯タンク２の内圧が０．０８ＭＰａである場合には、噴霧水を昇圧する昇圧ポンプを圧力センサ９の上流に配設してもよい。この場合、昇圧ポンプの動作によって水圧や流量が変動しても、噴霧水の水圧又は流量をセンサで検出して三方電磁弁１０の第１弁部と第２弁部の開閉動作を制御すれば、熱交換比率の低下や噴霧水の滴下を適切に防止できる。
【０１０９】
（７）例えば、上記第２，３実施の形態では、コージェネレーションシステムの発電機を熱源として貯湯する貯湯タンク２にミストサウナ装置１Ｂ，１Ｃを組み付ける場合について説明した。これに対して、電気温水システムの電気給湯器を熱源として貯湯する貯湯タンク２にミストサウナ装置１Ｂ，１Ｃを組み付けてもよい。電気温水システムでは、貯湯タンク２の容量（例えば９００Ｌ）がコージェネレーションシステムの貯湯タンクの容量（例えば１５０〜２００Ｌ）より大きいため、学習機能プログラム６２を実行することにより、放熱ロスを効果的に小さくできる。
【図面の簡単な説明】
【０１１０】
【図１】本発明の第１実施の形態にかかり、ミストサウナ装置の概略構成図である。
【図２】同じく、リモコンの平面図である。
【図３】同じく、制御装置のブロック図である。
【図４】同じく、ミストサウナ制御処理を示すフローチャートである。
【図５】本発明の第２実施の形態にかかり、ミストサウナ装置の概略構成図である。
【図６】同じく、制御装置のブロック図である。
【図７】同じく、分流制御処理を示すフローチャートである。
【図８】同じく、分流制御の内容を説明する説明図であって、タンク蓄熱利用時に給湯動作を示す概念図である。
【図９】同じく、分流制御の内容を説明する説明図であって、タンク湯切れ時の給湯動作を示す概念図である。
【図１０】本発明の第３実施の形態にかかり、ミストサウナ装置で使用する制御装置のブロック図である。
【図１１】同じく、学習機能処理を示すフローチャートである。
【図１２】給湯直接利用方式を採用したミストサウナ装置の概略構成図である。
【図１３】液−液熱交換方式を採用したミストサウナ装置の概略構成図である。
【符号の説明】
【０１１１】
１Ａ，１Ｂ，１Ｃ  ミストサウナ装置
２  貯湯タンク
３，４１  噴霧水供給配管
４  噴霧ノズル
５  混合弁
９  圧力センサ
１０  三方電磁弁
１１  排水管
１２  加熱装置
１３，５２，６１  制御装置
１４  リモコン
１５  熱源
１９  残湯量検出センサ
３１  メモリ
３４  ミストサウナ制御プログラム
４１ａ  排熱回収配管
４１ｂ  供給配管
４１ｃ  給水配管
４１ｄ  補給配管
４２  給水源
４３  熱交換器
４４  ガス給湯器
４５  流量計
５０  開閉弁
５１  温水回収配管
５３  分流制御プログラム
６２  学習機能プログラム
【図１】
2006191946.tif 000003
【図２】
2006191946.tif 000004
【図３】
2006191946.tif 000005
【図４】
2006191946.tif 000006
【図５】
2006191946.tif 000007
【図６】
2006191946.tif 000008
【図７】
2006191946.tif 000009
【図８】
2006191946.tif 000010
【図９】
2006191946.tif 000011
【図１０】
2006191946.tif 000012
【図１１】
2006191946.tif 000013
【図１２】
2006191946.tif 000014
【図１３】
2006191946.tif 000015